(57)【要約】【課題】開閉操作が簡易なデジタルカメラ等のモニター装着用折畳み式遮光フードを提供する。【解決手段】四辺からなる略四角形上の取付け枠１１と、上記取付け枠１１に着脱自在に取り付けられる枠部２０と、前記枠部２０の上辺部２２廻りに回動自在に枢着される上遮光カバー３０と、前記上遮光カバー３０の左右側辺部３１，３２廻りにそれぞれ回動自在に枢着され、前記上遮光カバー３０の内方に収納保持される左右遮光カバー６０，７０と、を有する。【選択図】　図１
2004032215.tif 000002
【特許請求の範囲】
【請求項１】
四辺からなる略四角形上の取付け枠と、
上記取付け枠に着脱自在に取り付けられる枠部と、
前記枠部の上辺部廻りに回動自在に枢着される上遮光カバーと、
前記上遮光カバーの左右側辺部廻りにそれぞれ回動自在に枢着され、前記上遮光カバーの内方に収納保持される左右遮光カバーと、を有する折畳み式遮光フード。
【請求項２】
前記取付け枠が、
上辺部を分離し、その両端をネジで、各々左辺部，右辺部と連結させた構造としたものである請求項１に記載の折畳み式遮光フード。
【請求項３】
カメラに着脱自在に取り付けられる枠部と、
前記枠部の上辺部廻りに回動自在に枢着される上遮光カバーと、
前記上遮光カバーの左右側辺部廻りにそれぞれ回動自在に枢着され、前記上遮光カバーの内方に収納保持される左右遮光カバーと、を有する折畳み式遮光フード。
【請求項４】
前記枠部は、モニター周囲枠に設けられたレールに、スライドさせて取り付けられるものである請求項３に記載の折畳み式遮光フード。
【請求項５】
前記上遮光カバーは、モニターの点灯確認用の確認窓が設けられているものである請求項１〜４のいずれかに記載の折畳み式遮光フード。
【発明の詳細な説明】
【０００１】
【発明の属する技術分野】
本発明は、デジタルカメラ、ビデオカメラ等のモニターに装着する折畳み式の遮光フードに関するものである。
【０００２】
【従来の技術】
従来、表示装置として液晶を用いたデジタルカメラなどのモニターが実用化されており、液晶は小型、軽量で低消費電力のため、携帯用に適している。そして、携帯用のデジタルカメラ等において、その液晶画面に対する遮光のために遮光フードを取付けることが行われ、折畳み式の遮光フードも提案されている。
例えば、特開平１１−１５３９６２号公報に記載された折畳み式の遮光フードは、天板と左右の側板との間に、遮光フードを折り畳むためのヒンジを設け、ヒンジを中心に折り畳むことに連動させて、三つ折りに折り畳まれるように２個の薄肉ヒンジを設ける、というものである。
【０００３】
【発明が解決しようとする課題】
しかし、前記の折畳み式の遮光フードは、ヒンジを用いているので、繰り返し折り畳むことによってヒンジ部分からの部分的な破断が生じ、その外観が見苦しくなる。
本発明は、デジタルカメラ等のモニターに装着する折畳み式の遮光フードに関するものであって、その開閉を簡易に操作できるようにし、見栄えを良くした遮光フードを提供することを目的とする。
【０００４】
【課題を解決するための手段】
本発明の折畳み式遮光フードは、四辺からなる略四角形上の取付け枠と、上記取付け枠に着脱自在に取り付けられる枠部と、前記枠部の上辺部廻りに回動自在に枢着される上遮光カバーと、前記上遮光カバーの左右側辺部廻りにそれぞれ回動自在に枢着され、前記上遮光カバーの内方に収納保持される左右遮光カバーと、を有することを特徴とする。
このような折畳み式遮光フードは、前記取付け枠が、上辺部を分離し、その両端をネジで、各々左辺部，右辺部と連結させた構造としたものであることが好ましい。
本発明の折畳み式遮光フードは、カメラに着脱自在に取り付けられる枠部と、前記枠部の上辺部廻りに回動自在に枢着される上遮光カバーと、前記上遮光カバーの左右側辺部廻りにそれぞれ回動自在に枢着され、前記上遮光カバーの内方に収納保持される左右遮光カバーと、を有することを特徴とする。
このような折畳み式遮光フードは、前記枠部は、モニター周囲枠に設けられたレールに、スライドさせて取り付けられるものであることが好ましく、前記上遮光カバーは、モニターの点灯確認用の確認窓が設けられているものであることが好ましい。
【０００５】
【発明の実施の形態】
本発明に係る遮光フードの実施の形態を図面に基づいて詳細に説明する。
図１は、本発明の実施の形態である遮光フードの使用状態を示す概略斜視図である。図２は、取付け枠の実施の形態を示す概略斜視図である。図３は、取付け枠の別の実施の形態を示す概略斜視図である。図４は、遮光フードの取付け方法の実施の形態を示す説明図である。図５は、枠部の実施の形態を示す概略斜視図である。図６は、上遮光カバーの実施の形態を示す概略斜視図である。
図７は、右遮光カバーの実施の形態を示す概略斜視図である。図８は、左遮光カバーの実施の形態を示す概略斜視図である。図９は、本発明の実施の形態である遮光フードの収納状態を示す概略斜視図である。図１０は、本発明の実施の形態である遮光フードを開の状態にする説明図である。
【０００６】
図１〜図１０に示すように、遮光フード１０は、取付け枠１１、枠部２０、上遮光カバー３０、右遮光カバー６０および左遮光カバー７０からなる。取付け枠１１は、四辺から構成される略四角形状の構造をなし、内方にモニター窓１２が開口されている。取付け枠１１は、デジタルカメラ等のモニター正面部周囲に接着テープ又は接着剤などで固着されていることが好ましいが、カメラ本体に取付け枠１１固定用の装着部が予め設けられている場合は固着する必要はない。
また、取付け枠１１の左辺部１３及び右辺部１４には、辺の一部内方を切り欠いた切欠き部１５ａ，１５ｂが設けられており、後述する図５に示す枠部２０の係止片２１ａ，２１ｂが嵌着自在に装着される。
【０００７】
取付け枠１１は、他の実施の形態として、図３に示すように、四辺の内、上辺部１６又は下辺部を分離し、その両端をネジ１７ａ，１７ｂで、各々左辺部１３，右辺部１４と連結させた構造とすることができる。このような上辺部１６又は下辺部をネジ止め構造とすることにより、モニター画面周囲枠の大きさに対応させて左右辺部の長さを調整して取付け枠１１の縦寸法を変え、モニター画面の周囲に設けられている枠の大きさに合わせた取付け枠とすることができる。
【０００８】
そして、取付け枠１１の上辺部１６中央に設けられた固定ネジ１７ｃにより、モニター画面の周囲枠に取付け枠１１を、取り外し自在に固定することができる。
また、固定ネジ１７ｃに代えて、上辺部１６中央の内側に板ばねなどを設けておいて、板ばねの付勢力で周囲枠に着脱自在に固定することもできる。
【０００９】
さらに、図４の凹レール型に示すように、モニター側周囲の取付け枠１１の上下に凹レールを設け、これに嵌入するように遮光フードの枠部２０に鉤型の凸レールを設け左又は右方向からスライドさせて嵌入し取り付けることができる。また、その下の凸レール型に示すように、モニター側周囲の取付け枠１１に凸レールを設け、これに嵌入するように遮光フードの枠部２０に鉤型の凹レールを設け、左又は右方向からスライドさせて嵌入し取り付けることができる。この状態をその右のセット状態に示す。また、凸レール型（２）に示すように別の実施の形態として、モニター側周囲の取付け枠１１に凸レールを一方に寄せて形成することもできる。さらに、嵌合型に示すように、前記凸レール型又は凹レール型のレール高さを低くしておけば、スライドさせて着脱させる方式ではなく、モニター側周囲の取付け枠１１の上部又は下部を支点にして回転させて遮光フードの枠部２０を着脱させることもできる。
【００１０】
上記のような実施の形態の取付け枠１１を用いることにより、例えばビデオカメラなどの大きさのモニター画面に対応して、本発明の遮光フードを簡易に取り付け、取り外しが簡易にできる。
なお、取付け枠１１は、既製のデジタルカメラなどへ本発明の遮光フードを取り付けるためのアタッチメント的な役割を果たすものであり、カメラ本体に予め後述する枠部２０を取り付けるための取り付け部が設けられている場合には不要となる場合がある。
【００１１】
図５に示すように、枠部２０は、取付け枠１１へ遮光フード１０を取り付けるための、上辺部２２、左辺部２３、右辺部２４、下辺部２５の四辺から構成される略四角形状の構造をなし、取付け枠と同様に内方にモニター窓１２が開口されている。
また、枠部２０を構成する左右辺部２３，２４下面には、取付け枠１１の切欠き部１５ａ，１５ｂに枠部２０を係止するための係止片２１ａ，２１ｂ（図５では見えず）が設けられている。
左右辺部２３，２４（図５では見えず）上端部には、上辺部２２に沿って上遮光カバー３０を組み付けるための枢着ピン２６ａ，２６ｂが内方に向かって形成されている。
【００１２】
また、上辺部２２中央部には、上遮光カバー３０開閉案内用の案内孔２７が設けられている。さらに、この枠部２０は、下辺部２５の上面を一部切り欠いた凹部２８が形成され、この凹部２８の内部に開閉片１８が取り付けられている（図１参照）。
開閉片１８は、その左右両端が、凹部２８の左壁部２７ａに設けられた溝部２８ａ及び右壁部２７ｂに設けられた孔２８ｂに左右移動自在（矢印Ｘ１及びＸ２方向、図１参照）に枢着されている。また、開閉片１８には、その一部が前方に突出した左右突起部１９ａ，１９ｂが設けられており、ここに、上遮光カバー３０係止用のフック３１ａ，３１ｂが係止されるようになっている。
【００１３】
図６に示すように、上遮光カバー３０は、枠部２０の内方のモニター窓１２を覆うように略四角形状をなし、左側辺部３１及び右側辺部３２のそれぞれ上端に、枠部２０の上辺部２２に沿って組み付けられる枢着ピン２６ａ，２６ｂを嵌入するための孔３３ａ（図６では見えず），３３ｂが設けられている。
また、上遮光カバー３０上端中央には、前記枠部２０に設けられた案内孔２７に挿入される左右遮光カバー係止用の係止片３４を備えている。さらに、係止片３４の中央外方には突起片３４ａが設けられており、上遮光カバー３０を開状態にした時のストッパーの役割をする。
【００１４】
この上遮光カバー３０を、枠部２０の枢着ピン２６ａ，２６ｂを孔３３ａ，３３ｂに枢着させ、係止片３４を枠部２０の案内孔２７にそれぞれに挿入させることにより、枠部２０の上辺部２２に沿って開閉自在に組み付ける。
また、上遮光カバー３０と枠部２０の上辺部２２との間には、上遮光カバー３０を開方向に付勢するコイルスプリング３５ａ，３５ｂが、上辺部２２左右２箇所に介設されている。
【００１５】
また、上遮光カバー３０には、上遮光カバー３０を貫通してモニター画面の点灯を確認できる確認窓３０ａを設けておくことが好ましい。確認窓３０ａによって、遮光フードを閉の状態にしている場合であっても、モニター画面が点灯しているか否かを確認でき、不要なモニター画面の点灯状態を防止することができ電源を節約することができる。
確認窓３０ａは、上遮光カバー３０の内側に左右遮光カバー６０，７０を収納した状態で左右遮光カバー６０，７０が存在しない位置、すなわちモニターが見える位置に設ける必要がある。
確認窓３０ａの大きさとしては、０．１〜５ｍｍ程度の丸穴や長穴などであることが好ましいが、穴の形状は特に規定するものではない。
なお、確認窓３０ａは貫通孔の他、貫通孔にレンズを装着させておくこともできる。レンズにより、モニター画面の点灯状態をさらに容易に確認することができる。
【００１６】
次に、図７に示すように、右遮光カバー６０は、枠部２０のモニター窓１２の略半分を覆う上辺部６１と側辺部６２および曲辺部６４を有する略扇子形状を呈し、右遮光カバー６０上辺部６１には、上遮光カバー３０の右側辺部３２に沿って組み付けられる左右の枢着ピン６３ａ，６３ｂを備えている。
この右遮光カバー６０を、その枢着ピン６３ａ，６３ｂにより、上遮光カバー３０の内方右側辺部３２に開閉自在に組み付ける。
また、右遮光カバー６０と上遮光カバー３０の右側辺部３２との間には、右遮光カバー６０を開方向に付勢するコイルスプリング６４を上部の枢着ピン３２廻りに装着して介設している。
【００１７】
図８に示すように、左遮光カバー７０は、前記右遮光カバー６０と対称形状をなしており、上辺部７１には、上遮光カバー３０の左側辺部３１に沿って組み付けられる枢着ピン７３ａ，７３ｂを備えている。
前記右遮光カバー６０の場合と同様に、この左遮光カバー７０を、その枢着ピン７３ａ，７３ｂにより上遮光カバー３０の左側辺部３１に開閉自在に組み付ける。左遮光カバー７０と上遮光カバー３０の左側辺部３１との間には、左遮光カバー７０を開方向に付勢するねじりコイルスプリング７４（図示しない）を上部の枢着ピン７３ａ，７３ｂ廻りに装着して介設している。
【００１８】
以上の構成による遮光フード１０は、枠部２０に対して、右遮光カバー６０および左遮光カバー７０を各々のコイルスプリング６４，７４の付勢力に抗して折畳むと共に、その前側に上遮光カバー３０をコイルスプリング３５ａ，３５ｂの付勢力に抗して折畳むと同時に、その上遮光カバー３０側の左右のフック３１ａ，３１ｂを、枠部２０側の開閉片１８に設けられた左突起部１９ａ，右突起部１９ｂに各々係止することによって、折畳み状態に保持されている（図９参照）。
そして、モニターの周囲に予め装着されている取付け枠１１に対して、枠部２０に設けられた係止片２１ａ，２１ｂで嵌着させることによって、遮光フード１０をモニターに装着することができる。
【００１９】
以上の遮光フード１０を使用（開の状態に）する場合は、まず、上遮光カバー３０に右遮光カバー６０および左遮光カバー７０を収納保持した全折畳み状態（矢印Ｘ２方向、図１、図９参照）において、上遮光カバー３０の下辺部２５における前記開閉片１８を指先で矢印Ｘ２左方向へ移動させ、
枠部２０側に設けた左右突起部１９ａ，１９ｂから上遮光カバー３０側のフック３１ａ、３１ｂの係止状態を解除する。
すると、上遮光カバー３０のコイルスプリング３５ａ，３５ｂの力によって、上遮光カバー３０が右遮光カバー６０および左遮光カバー７０を収納保持したまま、枢着ピン２６ａ，２６ｂ廻りに回動して開く。
【００２０】
次に、図１０に示すように、案内片凹部３５に押し込まれて保持されていた右遮光カバー６０および左遮光カバー７０を、上遮光カバー３０を開いた後に、さらに上遮光カバー３０を手動で軽く持ち上げぎみに回動させる（矢印Ｗ１方向）と、係止片３４に形成された突起片３４ａが枠部２０に設けられているストッパーＳ１により回動を阻止され係止片下部３６が矢印Ｗ２方向にたわむ。これにより右遮光カバー６０および左遮光カバー７０のそれぞれの側片部６２，７２が係止片下部３６から外れ、各々のコイルスプリング６４，７４の力により各々の枢着ピン６３ａ，６３ｂ，７３ａ，７３ｂ廻りに回動して（矢印Ｙ２，Ｚ２方向）右遮光カバー６０および左遮光カバー７０が開方向全開状態となる。
【００２１】
このような二段階によるカバーの開方法を採ることにより、上遮光カバー３０を完全に開いた後に、初めて右遮光カバー６０および左遮光カバー７０が開くので、右遮光カバー６０および左遮光カバー７０によってモニター画面がこすられて疵がつける恐れがない。そして、右遮光カバー６０及び左遮光カバー７０それぞれの下端部６５，７５を、前記枠部２０下辺部２５内側左右両端に接触固定させて、図１に示すような全開の状態に保持する。
【００２２】
なお、このような全開状態において、枠部２０の下辺部２５に、右遮光カバー６０および左遮光カバー７０の曲辺部６４，７４を延長した下端部６５，７５とが各々係合状態となるように、側辺部６２の寸法Ｌ１，Ｌ２は、各々枠部２０の左辺部２３，右辺部２４の長さＬ３，Ｌ４よりも若干大きめの寸法に設定することが好ましい。
【００２３】
次に、本発明の遮光フード１０を閉にする方法について説明する。
まず、図１の状態から、右遮光カバー６０および左遮光カバー７０を、上遮光カバー３０の内方に折畳み（図１の矢印Ｙ１、Ｚ１方向）、右遮光カバー６０よび左遮光カバー７０の側辺部６２，７２を、係止片３４の内側に設けられた係止片凹部３５に嵌入すると係止片下部３６によって右遮光カバー６０および左遮光カバー７０の回動が拘束され閉状態が保持される。
すなわち、右遮光カバー６０の側片部６２及び左遮光カバー７０の側片部７２を、折畳み方向に、図１示で少し手前に湾曲した係止片下部３６を通過させて係止片凹部３５に嵌入させることにより、右遮光カバー６０および左遮光カバー７０が、上遮光カバー３０の内方に収納保持される。
【００２４】
そして、上遮光カバー３０は、右遮光カバー６０および左遮光カバー７０を収納保持した状態で、上遮光カバー３０の前部３７を指先で下方に押し、枠部２０凹部２８に設けられた開閉片１８の左右突起部１９ａ，１９ｂに、上遮光カバー３０側のフック３１ａ，３１ｂを係止させることで、閉状態を保持する。
【００２５】
本発明の実施例では、遮光フード１０を構成するカバーは、上遮光カバー３０、右遮光カバー６０、左遮光カバー７０としているが、下遮光カバーを備えるようにしてもよい。なお、以上の実施例においては、モニター用の遮光フードとしたが、本発明はこれに限定されるものではなく、他の表示装置に装着する遮光フードであってもよい。
【００２６】
【発明の効果】
以上のように、本発明に係る遮光フードによれば、開閉操作を簡単に行うことができ、操作性の向上を達成することができる。
すなわち、本発明の遮光フードは、開閉片で係止状態を解除して、全てのカバーを各々のスプリングの力により開かせることができる。
【図面の簡単な説明】
【図１】本発明の実施の形態である遮光フードの使用状態を示す概略斜視図である。
【図２】取付け枠の実施の形態を示す概略斜視図である。
【図３】取付け枠の別の実施の形態を示す概略斜視図である。
【図４】遮光フードの取付け方法の実施の形態を示す説明図である。
【図５】枠部の実施の形態を示す概略斜視図である。
【図６】上遮光カバーの実施の形態を示す概略斜視図である。
【図７】右遮光カバーの実施の形態を示す概略斜視図である。
【図８】左遮光カバーの実施の形態を示す概略斜視図である。
【図９】本発明の実施の形態である遮光フードの収納状態を示す概略斜視図である。
【図１０】本発明の実施の形態である遮光フードを開の状態にする説明図である。
【符号の説明】
１０：遮光フード
１１：取付け枠
１２：モニター窓
１３：左辺部
１４：右辺部
１５ａ，１５ｂ：切欠き部
１６：上辺部
１７ａ，１７ｂ：ネジ
１７ｃ：固定ネジ
１８：開閉片
１９ａ：左突起部
１９ｂ：右突起部
２０：枠部
２１ａ，２１ｂ：係止片
２２：上辺部
２３：左辺部
２４：右辺部
２５：下辺部
２６ａ，２６ｂ：枢着ピン
２７：案内孔
２７ａ：左壁部
２７ｂ：右壁部
２８：凹部
２８ａ：溝部
２８ｂ：孔
３０：上遮光カバー
３０ａ：確認窓
３１：左側辺部
３１ａ，３１ｂ：フック
３２：右側辺部
３３ａ，３３ｂ：孔
３４：係止片
３４ａ：突起片
３５：係止片凹部
３５ａ，３５ｂ：コイルスプリング
３６：係止片下部
３７：前部
６０：右遮光カバー
６１：上辺部
６２：側辺部
６３ａ，６３ｂ：枢着ピン
６４：曲辺部
６５：下端部
６６：コイルスプリング
７０：左遮光カバー
７１：上辺部
７２：側片部
７３ａ，７３ｂ：枢着ピン
７４：曲辺部
７５：下端部
Ｌ１，Ｌ２：側辺部の寸法
Ｌ３，Ｌ４：枠部の左辺部，右辺部の長さ
７２：側辺部
【図１】
2004032215.tif 000003
【図２】
2004032215.tif 000004
【図３】
2004032215.tif 000005
【図４】
2004032215.tif 000006
【図５】
2004032215.tif 000007
【図６】
2004032215.tif 000008
【図７】
2004032215.tif 000009
【図８】
2004032215.tif 000010
【図９】
2004032215.tif 000011
【図１０】
2004032215.tif 000012